(57)【要約】【課題】製造コストの低減と小型化とを図ることができるカード用コネクタを提供する。【解決手段】複数の接続パッド１７１，１７２を有する電子カード１７を収容する収容空間３６を有するハウジング３に複数のコンタクト５，７，８を保持させる。複数のコンタクト５，７，８の中に、電子カード１７を収容空間３６に収容したとき、複数の接続パッド１７１，１７２のうちの短絡用接続パッド１７２に接触して互いに導通する第１スイッチコンタクト７と第２スイッチコンタクト８とを含める。【選択図】図２
2008258101.tif 000002
【特許請求の範囲】
【請求項１】
複数のコンタクトと、複数の接続パッドを有する電子カードを収容する収容部を有し、前記複数のコンタクトを保持するハウジングとを備えているカード用コネクタにおいて、
前記複数のコンタクトには、前記電子カードを前記収容部に収容したとき、前記複数の接続パッドのうちの短絡用接続パッドに接触して互いに導通する電源側検出コンタクトとグランド側検出コンタクトとが含まれている
ことを特徴とするカード用コネクタ。
【請求項２】
前記電源側、グランド側検出コンタクトの少なくとも一方が、前記複数のコンタクトのうちの、前記電源側、グランド側検出コンタクト以外のコンタクトと同じ形状であることを特徴とする請求項１記載のカード用コネクタ。
【発明の詳細な説明】
【技術分野】
【０００１】
この発明はＩＣカード等の電子カード用のコネクタに関し、特にＩＣカードの検出機能を有するカード用コネクタに関する。
【背景技術】
【０００２】
従来、ハウジングとコンタクト端子と接触ばね片と固定片とを備えるカードコネクタが知られている（下記特許文献１参照）。
【０００３】
ハウジングは、一対の側壁と、この一対の側壁に対して直角であり、側壁同士を連結する突き当て壁と、側壁及び突き当て壁の底部に連結された下板とを有する。
【０００４】
両側壁の内側にはそれぞれ案内溝が形成され、これらの案内溝によってＩＣカードが挿抜方向へ案内されるとともに支持される。
【０００５】
ハウジングの下板には複数の溝が所定間隔に形成されている。複数の溝はＩＣカードの挿抜方向へ延びている。
【０００６】
コンタクト端子には電源用のものと信号用のものとがある。コンタクト端子は下板の溝に圧入されて保持されている。
【０００７】
接触ばね片は平面形状がほぼＵ字形であり、ハウジングの突き当て壁に形成された収容空間に収容されている。接触ばね片の一端部には突き当て壁に固定される固定部が形成され、接触ばね片の他端部にはＩＣカードの前面に当接する当接部が形成されている。当接部はＩＣカードの挿抜方向に沿って変位可能である。
【０００８】
固定片の一端部には一方の側壁に固定される固定部が形成され、固定片の他端部には接片が形成されている。
【０００９】
接触ばね片と固定片とで、カードコネクタにＩＣカードが装填されているか否かを認知するためのスイッチが構成されている。
【００１０】
ハウジングにＩＣカードを挿入すると、ＩＣカードは一対の側壁の案内溝によって突き当て壁の方へ案内される。
【００１１】
このとき、接触ばね片の当接部はＩＣカードの前端面によって押圧されて後退し、固定片の接片に接触する。その結果、スイッチが閉じられ、ＩＣカードがカードコネクタに装填されたことを検出することができる。
【特許文献１】特開２００１−１４３７８８号公報（段落００２１〜００２９、図２、４参照）
【発明の開示】
【発明が解決しようとする課題】
【００１２】
上述のコネクタでは、信号用、電源用のコンタクト端子の他に、ＩＣカードを検出するために、接触ばね片と固定片との２つの部品を必要とするとともに、接触ばね片を弾性変形可能に収容するための特別な収容空間を必要とする。
【００１３】
このため、従来のカード用コネクタには、製造コストが高くなるとともに大型化するという問題があった。
【００１４】
この発明はこのような事情に鑑みてなされたもので、その課題は製造コストの低減と小型化とを図ることができるカード用コネクタを提供することである。
【課題を解決するための手段】
【００１５】
前述の課題を解決するため請求項１の発明のカード用コネクタは、複数のコンタクトと、複数の接続パッドを有する電子カードを収容する収容部を有し、前記複数のコンタクトを保持するハウジングとを備えているカード用コネクタにおいて、前記複数のコンタクトには、前記電子カードを前記収容部に収容したとき、前記複数の接続パッドのうちの短絡用接続パッドに接触して互いに導通する電源側検出コンタクトとグランド側検出コンタクトとが含まれていることを特徴とする。
【００１６】
上述のように、複数のコンタクトには、電子カードを収容部に収容したとき、複数の接続パッドのうちの短絡用接続パッドに接触して互いに導通する電源側検出コンタクトとグランド側検出コンタクトとが含まれているので、電源側検出コンタクトとグランド側検出コンタクトとの一方のコンタクトを弾性変形させて他方のコンタクトに接触させる必要がない。
【００１７】
また、電源側検出コンタクトとグランド側検出コンタクトとは電子カードの短絡用接続パッドを介して互いに導通するので、例えば、信号用コンタクトと同じ形状のコンタクトを電源側検出コンタクトやグランド側コンタクトとして用いることが可能である。
【００１８】
請求項２の発明は、請求項１記載のカード用コネクタにおいて、前記電源側、グランド側検出コンタクトの少なくとも一方が、前記複数のコンタクトのうちの、前記電源側、グランド側検出コンタクト以外のコンタクトと同じ形状であることを特徴とする。
【発明の効果】
【００１９】
この発明によれば、製造コストの低減と小型化とを図ることができる。
【発明を実施するための最良の形態】
【００２０】
以下、この発明の実施の形態を図面に基づいて説明する。
【００２１】
図１はこの発明の第１の実施形態に係るカード用コネクタを上方から見た状態を示す斜視図、図２は図１に示すカード用コネクタを下方から見た状態を示す斜視図、図３は図１に示すカード用コネクタの平面図、図４は図１に示すカード用コネクタの側面図、図５は図１に示すカード用コネクタの底面図、図６は図１に示すカード用コネクタに接続されるＩＣカードの平面図である。
【００２２】
図１〜５に示すように、このカード用コネクタはハウジング３と信号用コンタクト５と第１スイッチコンタクト（グランド側検出コンタクト）７と第２スイッチコンタクト（電源側検出コンタクト）８と電源用コンタクト９とカバーフレーム１１とを備える。
【００２３】
ハウジング３はほぼフレーム状であり、前壁部３１と後壁部３２と側壁部３３，３４とコンタクト保持部３５とを有する（図３〜５参照）。
【００２４】
前壁部３１にはハウジング３の外側へ突出する凸部３１ａが形成されている。
【００２５】
後壁部３２と前壁部３１とは平行である。
【００２６】
側壁部３３の一端部は前壁部３１の一端部に連結され、側壁部３３の他端部は後壁部３２の一端部に連結されている。
【００２７】
側壁部３４の一端部は前壁部３１の他端部に連結され、側壁部３４の他端部は後壁部３２の他端部に連結されている。
【００２８】
コンタクト保持部３５は両側壁部３２，３３に掛け渡されるように連結され、底壁部３７と併用される。コンタクト保持部３５の上面には穴３５ａが形成されている（図７参照）。穴３５ａは各コンタクト５，７，８，９の後述する埋設部５３，７３，８３，９３の一部を露出させる。この穴３５ａを通じて各コンタクト５，７，８，９に検査用のプローブピンが押し付けられる。
【００２９】
前壁部３１と後壁部３２と両側壁部３３，３４とコンタクト保持部３５とで収容空間（収容部）３６が形成されている。収容空間３６はＩＣカード１７を収容するための空間である。ＩＣカード１７はハウジング３のカバー１１が装着される側から収容空間３６に収容され、またハウジング３の厚さ方向に沿って収容空間３６から取り出される。
【００３０】
図６に示すように、ＩＣカード１７の底面には複数の信号用接続パット（接触パッド）１７１と一つのグランド用接続パッド（短絡用接続パッド）１７２と一つの電源用接続パッド１７３とが等間隔に配置されている。グランド用接続パッド１７２の長さは信号用パット１７１の長さよりも若干長い。電源用接続パッド１７３の長さはグランド接続用パッド１７２の長さと同じである。
【００３１】
信号用コンタクト５は、図２に示すように、接触部５１とばね部５２と埋設部５３（図７参照）と端子部５４とを有する。
【００３２】
接触部５１は収容空間３６に収容されたＩＣカード１７の信号用接続パッド１７１に接触する。
【００３３】
ばね部５２は接触部５１に連結され、接触部５１を信号用パッド１７１に押し付ける。
【００３４】
埋設部５３はばね部５２に連結され、モールドイン成型によりコンタクト保持部３５に埋設されている（図７参照）。
【００３５】
端子部５４は埋設部５３に連結され、プリント基板（図示せず）の信号用接続パッド（図示せず）に接続される。
【００３６】
第１スイッチコンタクト７はグランドＧに接続される（図９参照）。第１スイッチコンタクト７は、図２に示すように、接触部７１とばね部７２と埋設部７３（図７参照）と端子部７４とを有する。
【００３７】
接触部７１は収容空間３６に収容されたＩＣカード１７のグランド用接続パッド１７２に接触する。
【００３８】
ばね部７２は接触部７１に連結され、接触部７１をグランド用接続パッド１７２に押し付ける。
【００３９】
埋設部７３はばね部７２に連結され、モールドイン成型によりコンタクト保持部３５に埋設されている（図７参照）。
【００４０】
端子部７４は埋設部７３に連結され、プリント基板のグランド用接続パッド（図示せず）に接続される。
【００４１】
第２スイッチコンタクト８は接触部８１とばね部８２と固定部８３と端子部８４と圧入部８５とを有する。第２スイッチコンタクト８は電源Ｐに接続される（図９参照）。
【００４２】
接触部８１は収容空間３６に収容されたＩＣカード１７のグランド用接続パッド１７２に接触する。
【００４３】
ばね部８２はほぼＬ字形である。ばね部８２は接触部８１に連結され、接触部８１をグランド用接続パッド１７２に押し付ける。
【００４４】
固定部８３はばね部８２に連結され、前壁部３１の凸部３１ａの下面に配置されている。
【００４５】
端子部８４は固定部８３に連結され、プリント基板の検出電源用接続パッド（図示せず）或いはグランド用接続パッド（図示せず）に接続される。
【００４６】
圧入部８５は固定部８３に連結されている。圧入部８５は凸部３１ａに圧入される。
【００４７】
第１スイッチコンタクト７と第２スイッチコンタクト８とはＩＣカード１７がカード用コネクタに接続されているか否かを検出するための検出スイッチとして機能する。第１スイッチコンタクト７と第２スイッチコンタクト８との間のオン（ＯＮ）、オフ（ＯＦＦ）に基づいてＩＣカード１７の有無が検出される。
【００４８】
電源用コンタクト９は、図２に示すように、接触部９１とばね部９２と埋設部９３と端子部９４とを有する。
【００４９】
接触部９１は収容空間３６に収容されたＩＣカード１７の電源用接続パッド１７３に接触する。
【００５０】
ばね部９２は接触部９１に連結され、接触部９１を電源用接続パッド１７３に押し付ける。
【００５１】
埋設部９３はばね部９２に連結され、モールドイン成型によりコンタクト保持部３５に埋設されている（図７参照）。
【００５２】
端子部９４は埋設部９３に連結され、プリント基板の電源用接続パッド（図示せず）に接続される。
【００５３】
信号用コンタクト５と第１スイッチコンタク７と電源用コンタクト９とは同一形状の部品であり、用途の点で異なる。
【００５４】
カバー１１は、図１に示すように、カバー本体１１１と一対のアーム部１１２，１１３とを有する。カバー本体１１１はハウジング３の上面の中央部を覆う。一対のアーム部１１２，１１３はそれぞれ、カバー本体１１１に連結されている。アーム部１１２，１１３は、それぞれ軸部１１２ａ，１１３ａを有している。軸部１１２ａは側壁部３３の溝部３８に、軸部１１３ａは側壁部３４の溝部にそれぞれ回転可能に支持されるとともに、側壁部３３，３４の溝部３８によって側壁部３３，３４の長手方向へ移動可能に保持されている。これにより、カバー１１は軸部１１２ａ，１１３ａを中心にして回転可能であり、ハウジング３の収容空間３６を開閉する。また、カバー１１は収容空間３６を閉じた状態で側壁部３３，３４の長手方向に沿って移動可能であり、カバー１１が後壁部３２の方へ移動すると、カバー１１の一部とハウジング３の一部とが係合し、カバー１１がハウジング３に係止される。この状態からカバー１１を前壁部３１の方へ移動させると、カバー１１とハウジング３との係合が解かれ、カバー１１が開閉可能となる。
【００５５】
側壁部３３，３４の一端部にはそれぞれホールドダウン１２が取り付けられ、側壁部３３，３４の他端部にはそれぞれホールドダウン１３が取り付けられている。
【００５６】
図７は図１に示すカード用コネクタにＩＣカードが装填されていない状態を示す平面図、図８は図１に示すカード用コネクタにＩＣカードが装填された状態を示す平面図、図９は図１に示すカード用コネクタの第１スイッチコンタクトと第２スイッチコンタクトとがＩＣカードのグランド用接続パッドに接触した状態を示す概念図である。なお、図７、８においてカバーの図示を省略している。
【００５７】
ＩＣカード１７をカード用コネクタに接続するには、カバー１１（図１参照）を軸部１１２ａ，１１３ａを中心にして回転させてハウジング３の開口に対して直角にし、ハウジング３の収容空間３６を開く。
【００５８】
次に、図８に示すように、ＩＣカード１７を収容空間３６内に収容する。
【００５９】
その後、カバー１１をハウジング３の底壁部３７に対して平行になる方向へ回転させて、収容空間３６を閉じる（図１参照）。
【００６０】
次に、カバー１１の軸部１１２ａ，１１３ａをハウジング３の溝部３８に沿ってカバー１１を後壁部３２の方へスライドさせ、カバー１１の一部をハウジング３の一部に係合させ、カバーフレーム１１をハウジング３に係止する。
【００６１】
この状態では、第１スイッチコンタクト７の接触部７１と第２スイッチコンタクト８の接触部８１とがそれぞれＩＣカード１７の同じグランド用接続パッド１７２に一定の圧力で接触している。その結果、図９に示すように、第１スイッチコンタクト７と第２スイッチコンタクト８とがグランド用接続パッド１７２を介して導通し、スイッチ側回路で電圧降下が発生し、ＩＣカード１７がカード用コネクタに接続されたことを検出できる。
【００６２】
この実施形態によれば、信号用コンタクト５と第１スイッチコンタクト７と電源用コンタクト９とが同一形状であり、共通部品化されているので、製造コストを低減できる。
【００６３】
また、ＩＣカード１７を収容空間３６に対して挿抜することによって、検出スイッチが開閉されるので、従来のカード用コネクタのように、接触ばね片を大きく弾性変形させるための空間を必要としない。したがって、カード用コネクタの小型化を実現することができる。
【００６４】
図１０はこの発明の第２実施形態に係るカード用コネクタの概念図、図１１は図１０に示すカード用コネクタの検出スイッチ等のオン、オフのシーケンスを示すグラフである。なお、第１スイッチコンタクト２０７と電源用コンタクト２０９とは同形状であり、図１０において第１スイッチコンタクト２０７は電源用コンタクト２０９の後ろに隠れて見えないが、便宜上、図１０中に第１のスイッチコンタクト２０７の符号を括弧書きで示す。
【００６５】
第１実施形態と共通する部分については同一符号を付してその説明を省略する。以下、主な相違部分についてだけ説明する。
【００６６】
第１スイッチコンタクト２０７の接触部２７１の位置（ハウジング３の厚さ方向の位置）は電源用コンタクト２０９の接触部２９１の位置（ハウジング３の厚さ方向の位置）とほぼ同じであり、信号用コンタクト５の接触部５１の位置（ハウジング３の厚さ方向の位置）よりも高い。信号用コンタクト５の接触部５１の位置は第２スイッチコンタクト８の接触部８１の位置（ハウジング３の厚さ方向の位置）よりも高い。
【００６７】
ＩＣカード１７を収容空間３６から抜くとき、まず、ＩＣカード１７のグランド用接続パッド１７２が第２スイッチコンタクト８の接触部８１から離れる。その時点で、図１１に示すように、検出スイッチがオン（ＯＮ）の状態からオフ（ＯＦＦ）の状態になる。このとき、電源用コンタクト２０９、第１スイッチコンタクト２０７及び信号用コンタクト５はそれぞれＩＣカード１７の接続用パッド１７３，１７２，１７１（図６参照）に接触しており、図１１に示すように、信号用コンタクト５はオンの状態にあり、ＩＣカード１７の回路はオンの状態である。検出スイッチがオフの状態になったとき、ＩＣカード１７が収容空間３６から抜かれることが検出され、現在実行されているプログラムが終了する。
【００６８】
ＩＣカード１７が更に上方へ持ち上げられると、信号コンタクト５の接触部５１がＩＣカード１７の信号用接続パッド１７１から離れる。このときすでにＩＣカード１７のプログラムは終了しているので、すなわち、ＩＣカード１７のプログラムが終了するまで、ＩＣカード１７に電源が供給されており、ＩＣカード１７の回路に悪影響が及ばない。
【００６９】
ＩＣカード１７が更に上方へ持ち上げられると、電源用コンタクト２０９の接触部２９１及びグランド用コンタクト２０７の接触部２７１がそれぞれ接続用パッド１７３，１７２から離れる。
【００７０】
以上のように、この実施形態では、ＩＣカード１７が収容空間３６から抜かれるとき、図１１に示すように、検出スイッチがオフになってから信号用コンタクト５がオフの状態になるまで所定の時間差が生じるので、ＩＣカード１７の回路を保護することができる。
【００７１】
図１２はこの発明の第３実施形態に係るカード用コネクタの概念図である。なお、第１スイッチコンタクト３０７と電源用コンタクト３０９とは同形状であり、図１２において第１スイッチコンタクト３０７は電源用コンタクト３０９の後ろに隠れて見えないが、便宜上、図１１中に第１のスイッチコンタクト３０７の符号を括弧書きで示す。
【００７２】
第１実施形態と共通する部分については同一符号を付してその説明を省略する。以下、主な相違部分についてだけ説明する。
【００７３】
第３実施形態では、ハウジング３０３の収容空間（収容部）３３６に対して側壁３３３の長手方向と平行な方向に沿ってＩＣカード１７が挿抜される。
【００７４】
第１スイッチコンタクト３０７の接触部３７１の位置（ＩＣカード１７の挿抜方向の位置）は電源用コンタクト３０９の接触部３９１の位置（ＩＣカード１７の挿抜方向の位置）と同じであり、信号用コンタクト５の接触部５１の位置（ＩＣカード１７の挿抜方向の位置）よりも前方に位置する(前壁３３１に近い方を前方とする)。第２スイッチコンタクト８の接触部８１の位置（ＩＣカード１７の挿抜方向の位置）は第１スイッチコンタクト３０７の接触部３７１の位置よりも前方に位置する。
【００７５】
ＩＣカード１７を収容空間３３６から抜くとき、第２実施形態と同様に、検出スイッチがオフになってから信号用コンタクト５がオフの状態になるまで所定の時間差が生じるので、ＩＣカード１７の回路を保護することができる。
【００７６】
なお、上述の実施形態では、第１スイッチコンタクト７，２０７，３０７と第２スイッチコンタクト８とをＩＣカード１７の同じグランド用接続パッド１７２を介して導通させたが、ＩＣカード１７にグランド用接続パッド１７２の他にグランド用接続パッド１７２に導通する他のグランド用接続パッド（図示せず）を設け、このグランド用接続パッドを介して第１スイッチコンタクト７，２０７，３０７と第２スイッチコンタクト８とを導通させても良い。
【００７７】
また、上述の実施形態では、第１スイッチコンタクト７，２０７，３０７と第２スイッチコンタクト８とをＩＣカード１７の同じグランド用接続パッド１７２を介して導通させたが、ＩＣカード１７に第１スイッチコンタクト７，２０７，３０７と第２のスイッチコンタクト８とを短絡せるためだけの短絡用接続パッドを設け、この短絡用接続パッドを介して互いに導通させてもよい。
【００７８】
なお、第１実施形態では信号用コンタクト５と第１スイッチコンタクト７と電源用コンタクト９とを共通部品化させたが、信号用コンタクト５と第１スイッチコンタクト７と電源用コンタクト９と第２スイッチコンタクト８とを共通部品化させることもできる。
【００７９】
また、上述の実施形態では、短絡用接続パッドにグランド用接続パッドを用いたが、信号用接続パッドを用いてもよい。
【図面の簡単な説明】
【００８０】
【図１】図１はこの発明の第１の実施形態に係るカード用コネクタを上方から見た状態を示す斜視図である。
【図２】図２は図１に示すカード用コネクタを下方から見た状態を示す斜視図である。
【図３】図３は図１に示すカード用コネクタの平面図である。
【図４】図４は図１に示すカード用コネクタの側面図である。
【図５】図５は図１に示すカード用コネクタの底面図である。
【図６】図６は図１に示すカード用コネクタに接続されるＩＣカードの平面図である。
【図７】図７は図１に示すカード用コネクタにＩＣカードが装填されていない状態を示す平面図である。
【図８】図８は図１に示すカード用コネクタにＩＣカードが装填された状態を示す平面図である。
【図９】図９は図１に示すカード用コネクタの第１スイッチコンタクトと第２スイッチコンタクトとがＩＣカードのグランド用接続パッドに接触した状態を示す概念図である。
【図１０】図１０はこの発明の第２実施形態に係るカード用コネクタの概念図である。
【図１１】図１１は図１０に示すカード用コネクタの検出スイッチ等のＯＮ，ＯＦＦのシーケンスを示すグラフである。
【図１２】図１２はこの発明の第３実施形態に係るカード用コネクタの概念図である。
【符号の説明】
【００８１】
３  ハウジング
３６，３３６  収容空間（収容部）
５  信号用コンタクト（コンタクト）
７，２０７，３０７  第１スイッチコンタクト（グランド側検出コンタクト）
８  第２スイッチコンタクト（電源側検出コンタクト）
１７  ＩＣカード（電子カード）
１７１  信号用接続パッド（接続パッド）
１７２  グランド用接続パッド（短絡用接続パッド）
【図１】
2008258101.tif 000003
【図２】
2008258101.tif 000004
【図３】
2008258101.tif 000005
【図４】
2008258101.tif 000006
【図５】
2008258101.tif 000007
【図６】
2008258101.tif 000008
【図７】
2008258101.tif 000009
【図８】
2008258101.tif 000010
【図９】
2008258101.tif 000011
【図１０】
2008258101.tif 000012
【図１１】
2008258101.tif 000013
【図１２】
2008258101.tif 000014